【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
表示画面に表示された画像選択領域に複数の画像を表示する表示制御手段と、
前記画像選択領域に表示された画像を指定する指定手段と、
スクロールの指示に応じて、前記画像選択領域の表示を自動スクロールするスクロール手段とを備え、
前記表示制御手段は、前記指定手段で指定された画像を前記画像選択領域の指定された位置に静止して表示することを特徴とする画像選択装置。
【請求項２】
複数の画像を格納する格納手段と、
前記格納手段より前記表示制御手段による表示のために画像を読み出す読出手段と、
を更に備えることを特徴とする請求項１記載の画像選択装置。
【請求項３】
前記指定手段で指定された画像の選択を解除する旨の指示に応じて、前記表示制御手段により前記指定手段で指定された画像の前記画像選択領域への表示を解除する解除手段を更に備えることを特徴とする請求項１又は２記載の画像選択装置。
【請求項４】
表示画面に表示された画像選択領域に複数の画像を表示する表示制御手段と、
前記画像選択領域に表示された画像を指定する指定手段と、
スクロールの指示に応じて、前記画像選択領域の表示を自動スクロールするスクロール手段とを備え、
前記表示制御手段は、前記指定手段で指定された画像を前記画像選択領域と該画像選択領域に隣接した選択画像表示領域とを含めた領域でスクロールし、該画像を該選択画像表示領域で静止して表示することを特徴とする画像選択装置。
【請求項５】
前記表示制御手段は、前記選択画像表示領域に複数の画像を表示し、前記選択画像表示領域に表示する画像が増えた場合にすべての画像を前記選択画像表示領域に表示できるように画像を縮小して表示することを特徴とする請求項４記載の画像選択装置。
【請求項６】
表示画面に表示された画像選択領域に複数の画像を表示する表示制御工程と、
前記画像選択領域に表示された画像を指定する指定工程と、
スクロールの指示に応じて、前記画像選択領域の表示を自動スクロールするスクロール工程とを備え、
前記表示制御工程は、前記指定工程で指定された画像を前記画像選択領域の指定された位置に静止して表示することを特徴とする画像選択方法。
【請求項７】
表示画面に表示された画像選択領域に複数の画像を表示する表示制御工程と、
前記画像選択領域に表示された画像を指定する指定工程と、
スクロールの指示に応じて、前記画像選択領域の表示を自動スクロールするスクロール工程とを備え、
前記表示制御工程は、前記指定工程で指定された画像を前記画像選択領域と該画像選択領域に隣接した選択画像表示領域を含めた領域でスクロールし、該画像を該選択画像表示領域で静止して表示することを特徴とする画像選択方法。
【請求項８】
画像選択方法をコンピュータに実行させるためのプログラムであって、
前記画像選択方法は、
表示画面に表示された画像選択領域に複数の画像を表示する表示制御工程と、
前記画像選択領域に表示された画像を指定する指定工程と、
スクロールの指示に応じて、前記画像選択領域の表示を自動スクロールするスクロール工程とを備え、
前記表示制御工程は、前記指定工程で指定された画像を前記画像選択領域の指定された位置に静止して表示することを特徴とするプログラム。
【請求項９】
画像選択方法をコンピュータに実行させるためのプログラムであって、
前記画像選択方法は、
表示画面に表示された画像選択領域に複数の画像を表示する表示制御工程と、
前記画像選択領域に表示された画像を指定する指定工程と、
スクロールの指示に応じて、前記画像選択領域の表示を自動スクロールするスクロール工程とを備え、
前記表示制御工程は、前記指定工程で指定された画像を前記画像選択領域と該画像選択領域に隣接した選択画像表示領域とを含めた領域でスクロールし、該画像を該選択画像表示領域で静止して表示することを特徴とするプログラム。
【手続補正２】
【補正対象書類名】明細書
【補正対象項目名】発明の名称
【補正方法】変更
【補正の内容】
【発明の名称】画像選択装置及び方法、並びにプログラム  
【手続補正３】
【補正対象書類名】明細書
【補正対象項目名】０００１
【補正方法】変更
【補正の内容】
【０００１】
本発明は、画像選択装置及び方法、並びにプログラムに関する。
【手続補正４】
【補正対象書類名】明細書
【補正対象項目名】００１１
【補正方法】変更
【補正の内容】
【００１１】
本発明の目的は、画像選択領域で自動スクロール中の画像の中から所望の画像を選択した際に、他の画像との比較を行うことができ、また、画像選択領域内に表示されている選択画像の中から所望の画像の選択の解除を行うことができる画像選択装置及び方法、並びにプログラムを提供することにある。
【手続補正５】
【補正対象書類名】明細書
【補正対象項目名】００１２
【補正方法】変更
【補正の内容】
【００１２】
上記目的を達成するために、請求項１記載の画像選択装置は、表示画面に表示された画像選択領域に複数の画像を表示する表示制御手段と、前記画像選択領域に表示された画像を指定する指定手段と、スクロールの指示に応じて、前記画像選択領域の表示を自動スクロールするスクロール手段とを備え、前記表示制御手段は、前記指定手段で指定された画像を前記画像選択領域の指定された位置に静止して表示することを特徴とする。
【手続補正６】
【補正対象書類名】明細書
【補正対象項目名】００１３
【補正方法】変更
【補正の内容】
【００１３】
請求項４記載の画像選択装置は、表示画面に表示された画像選択領域に複数の画像を表示する表示制御手段と、前記画像選択領域に表示された画像を指定する指定手段と、スクロールの指示に応じて、前記画像選択領域の表示を自動スクロールするスクロール手段とを備え、前記表示制御手段は、前記指定手段で指定された画像を前記画像選択領域と該画像選択領域に隣接した選択画像表示領域とを含めた領域でスクロールし、該画像を該選択画像表示領域で静止して表示することを特徴とする。
【手続補正７】
【補正対象書類名】明細書
【補正対象項目名】００１４
【補正方法】変更
【補正の内容】
【００１４】
請求項６記載の画像選択方法は、表示画面に表示された画像選択領域に複数の画像を表示する表示制御工程と、前記画像選択領域に表示された画像を指定する指定工程と、スクロールの指示に応じて、前記画像選択領域の表示を自動スクロールするスクロール工程とを備え、前記表示制御工程は、前記指定工程で指定された画像を前記画像選択領域の指定された位置に静止して表示することを特徴とする。
【手続補正８】
【補正対象書類名】明細書
【補正対象項目名】００１５
【補正方法】変更
【補正の内容】
【００１５】
請求項７記載の画像選択方法は、表示画面に表示された画像選択領域に複数の画像を表示する表示制御工程と、前記画像選択領域に表示された画像を指定する指定工程と、スクロールの指示に応じて、前記画像選択領域の表示を自動スクロールするスクロール工程とを備え、前記表示制御工程は、前記指定工程で指定された画像を前記画像選択領域と該画像選択領域に隣接した選択画像表示領域を含めた領域でスクロールし、該画像を該選択画像表示領域で静止して表示することを特徴とする。
【手続補正９】
【補正対象書類名】明細書
【補正対象項目名】００１６
【補正方法】変更
【補正の内容】
【００１６】
請求項８記載のプログラムは、画像選択方法をコンピュータに実行させるためのプログラムであって、前記画像選択方法は、表示画面に表示された画像選択領域に複数の画像を表示する表示制御工程と、前記画像選択領域に表示された画像を指定する指定工程と、スクロールの指示にじて、前記画像選択領域の表示を自動スクロールするスクロール工程とを備え、前記表示制御工程は、前記指定工程で指定された画像を前記画像選択領域の指定された位置に静止して表示することを特徴とする。
【手続補正１０】
【補正対象書類名】明細書
【補正対象項目名】００１７
【補正方法】変更
【補正の内容】
【００１７】
請求項９記載のプログラムは、画像選択方法をコンピュータに実行させるためのプログラムであって、前記画像選択方法は、表示画面に表示された画像選択領域に複数の画像を表示する表示制御工程と、前記画像選択領域に表示された画像を指定する指定工程と、スクロールの指示に応じて、前記画像選択領域の表示を自動スクロールするスクロール工程とを備え、前記表示制御工程は、前記指定工程で指定された画像を前記画像選択領域と該画像選択領域に隣接した選択画像表示領域とを含めた領域でスクロールし、該画像を該選択画像表示領域で静止して表示することを特徴とする。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
本発明によれば、表示画面上の画像選択領域に複数の画像を表示し、出力の対象として画像選択領域中に表示された画像を指定する。そして、表示スクロールの指示に応じて、画像選択領域の表示を自動スクロールして、指定された画像を表示画面上の画像選択領域上の指定された位置に静止して表示する。このように指定された画像を表示画面上の画像選択領域上の指定された位置に静止して表示することで、画像選択領域で自動スクロール中の画像の中から所望の画像を選択した際に、他の画像との比較を行うことができ、また、画像選択領域内に表示されている選択画像の中から所望の画像の選択の解除を行うことができる。